(57)【要約】【課題】設置場所が細長く、且つ空気供給が、ダクトまたはチューブであって、装置の全体が小型化と薄型化が可能な空気清浄装置を提供する。【解決手段】濾材２を円筒状に成型して円筒形フィルター１としたものを、複数本間隔を有して平行に、空気取入れ筒体９と空気取出し筒体１１をそれぞれ備えた薄型の立方体箱状の密閉容器６内に、前記各円筒形フィルター１の一方側開口端部をフィルター保持区画壁１６に通気可能に固定すると共に、該各円筒形フィルター１の他方側開口端部を密閉してフィルター保持枠１９に固定して収納することにより、前記空気取入れ筒体９より流入した空気は、各円筒形フィルター１の内側の通気通路３から濾材２を通過して濾過され、前記各円筒形フィルター１の外側の密閉容器６の空間部に清浄空気となって噴き出して空気取出し筒体１１から取出される。【選択図】図１
2005066436.tif 000002
【特許請求の範囲】
【請求項１】
濾材を円筒状に成型して中央に断面円状の通気通路を貫通して、一方端側に通気開口を設けると共に、他方端側に閉鎖壁を設けて円筒形フィルターを形成し、且つ該円筒形フィルターを複数本平行に所定間隔を有して密閉容器内に装入固定して形成され、
前記密閉容器は、内部に空間部を備えた薄型の立方体箱状に形成されると共に、一方側の側面板の中央部に空気取入れ筒体が、前記空間部に開口連通して突設固定され、且つ他方側の側面板の中央部に空気取出し筒体が、前記空間部に開口連通して突設固定され、更に、前記空間部内の一方側の側面板寄りに、前記各円筒形フィルターの一方端側の通気開口の外周部分を保持固定するフィルター保持区画壁を立設固定して、前記一方側の側面板とフィルター保持区画壁間に空気流入室を設け、且つ前記各円筒形フィルターの各通気開口が前記空気流入室に臨むようにして前記フィルター保持区画壁に連結固定する一方、前記空間部内の他方側の側面板寄りに、前記各円筒形フィルターの他方端外周部分を保持固定する複数個の保持部を備えると共に、該各保持部間に通気スリットを設けたフィルター保持枠を立設固定して、前記フィルター保持枠と他方側の側面板間に清浄空気案内室を設けて形成されたことを特徴とする空気清浄装置。
【請求項２】
濾材を円筒状に成型して中央に断面円状の通気通路を貫通して、一方端側に通気開口を設けると共に、他方端側に閉鎖壁を設けて円筒形フィルターを形成し、且つ該円筒形フィルターを複数本平行に所定間隔を有して密閉容器内に装入固定して形成され、
前記密閉容器は、内部に空間部を備えた薄型の立方体箱状に形成されると共に、他方側の側面板の中央部に空気取入れ筒体が、前記空間部に開口連通して突設固定され、且つ一方側の側面板の中央部に空気取出し筒体が、前記空間部に開口連通して突設固定され、更に、前記空間部内の他方側の側面板寄りに、前記各円筒形フィルターの他方端外周部分を保持固定する複数個の保持部を備えると共に、該各保持部間に通気スリットを設けたフィルター保持枠を立設固定して、前記フィルター保持枠と他方側の側面板間に清浄空気案内室を設ける一方、前記空間部内の一方側の側面板寄りに、前記各円筒形フィルターの一方端側の通気開口の外周部分を保持固定するフィルター保持区画壁を立設固定して、前記一方側の側面板とフィルター保持区画壁間に清浄空気案内室を設け、且つ前記各円筒形フィルターの各通気開口が前記空気流入室に臨むようにして前記フィルター保持区画壁に連結固定して形成されたことを特徴とする空気清浄装置。
【発明の詳細な説明】
【技術分野】
【０００１】
本発明は、空気中の塵、化学物質成分を除去する円筒形フィルターを用いた空気清浄装置に関するものである。
【背景技術】
【０００２】
従来、空気清浄装置用のフィルターは、シート状の濾材を、空気の通過面積を増やすために、例えば、実開昭５０−１５５６６９号公報に開示されているように、シート状の濾材を鋸歯状に折込んで、額縁状の枠に装着固定する構造のものが一般的であった。そして、前記濾材を通過する空気の通過面積は、濾材の折幅と単位長さ当りの折込数の増減で調整されていた。
【特許文献１】実開昭５０−１５５６６９号公報
【発明の開示】
【発明が解決しようとする課題】
【０００３】
而して、空気がフィルターを通過するときに、圧力損失分の力が濾材にかかるが、フィルターの大型化に伴い、この圧力が大きくなく、如何にしてフィルターの強度を強めるかが、今後のフィルター設計・製造の課題の一つである。
【０００４】
また、他のフィルター設計・製造の課題として、フィルター面からの噴出し風速の面内均一性がある。すなわち、フィルターを構成する濾材には、厚みにばらつきがあり、結果として空気通気時の圧力損失にばらつきが発生する。また、フィルター面の上流側の風速分布も均一にすることが困難な場合が多く、結果としてフィルター面の下流側の風速分布が不均一になり、この傾向はフィルターが大型化するに従って、大きな課題になりつつある。
【０００５】
そして、特にフィルターの設置場所が細長い空間で、且つ空気の供給口が細長い空間の一端部の場合、特許文献１に開示されたようなシート状の濾材を鋸歯状に折込むフィルターでは小型フィルターの製作が困難であり、また、従来の平板形フィルターでは狭い空間で空気が通過する濾材面積を増やすことが困難であるという課題があった。
【０００６】
更に、平板状フィルターで構成される両面噴出し型空気清浄装置の場合、フィルターの厚みを薄くすることが困難であるという課題があった。
【０００７】
また更に、パイプやチューブによる空気の取入れ、取出しが必要な空気清浄装置を製造する場合、空気の取入れ、取出し方向が濾材面と垂直になり、濾材面が平面で大きな面積を要するため、空気清浄装置の小型化、薄型化が困難であるという課題があった。
【０００８】
本発明は、前記課題を解決すべくなされたもので、濾材を円筒状に成型して円筒形フィルターとしたものを、複数本間隔を有して平行に、空気取入れ筒体と空気取出し筒体をそれぞれ備えた薄型の立方体箱状の密閉容器内に、前記各円筒形フィルターの一方側開口端部をフィルター保持区画壁に、通気可能に保持固定すると共に、該各円筒形フィルターの他方側開口端部を密閉してフィルター保持枠に固定して収納することにより、前記空気取入れ筒体より流入した空気は、各円筒形フィルターの内側の通気通路から濾材を通過して濾過され、前記各円筒形フィルターの外側の密閉容器の空間部に清浄空気となって噴き出して空気取出し筒体から取出すという構成、あるいは、空気取入れ口より密閉容器の空間部に流入した空気は、各円筒形フィルターの外側から濾材を通過して濾過され、前記各円筒形フィルターの通気通路に清浄空気となって噴き出して空気取出し筒体から取出すという構成とすることにより、空気清浄装置の設置場所が細長く、且つ空気供給が、ダクトまたはチューブであって、装置全体の小型化と薄型化が可能な空気清浄装置を提供しようとするものである。
【課題を解決するための手段】
【０００９】
本発明は、濾材を円筒状に成型して中央に断面円状の通気通路を貫通して、一方端側に通気開口を設けると共に、他方端側に閉鎖壁を設けて円筒形フィルターを形成し、且つ該円筒形フィルターを複数本平行に所定間隔を有して密閉容器内に装入固定して形成され、
前記密閉容器は、内部に空間部を備えた薄型の立方体箱状に形成されると共に、一方側の側面板の中央部に空気取入れ筒体が、前記空間部に開口連通して突設固定され、且つ他方側の側面板の中央部に空気取出し筒体が、前記空間部に開口連通して突設固定され、更に、前記空間部内の一方側の側面板寄りに、前記各円筒形フィルターの一方端側の通気開口の外周部分を保持固定するフィルター保持区画壁を立設固定して、前記一方側の側面板とフィルター保持区画壁間に空気流入室を設け、且つ前記各円筒形フィルターの各通気開口が前記空気流入室に臨むようにして前記フィルター保持区画壁に連結固定する一方、前記空間部内の他方側の側面板寄りに、前記各円筒形フィルターの他方端外周部分を保持固定する複数個の保持部を備えると共に、該各保持部間に通気スリットを設けたフィルター保持枠を立設固定して、前記フィルター保持枠と他方側の側面板間に清浄空気案内室を設けるという手段、または、
濾材を円筒状に成型して中央に断面円状の通気通路を貫通して、一方端側に通気開口を設けると共に、他方端側に閉鎖壁を設けて円筒形フィルターを形成し、且つ該円筒形フィルターを複数本平行に所定間隔を有して密閉容器内に装入固定して形成され、
前記密閉容器は、内部に空間部を備えた薄型の立方体箱状に形成されると共に、他方側の側面板の中央部に空気取入れ筒体が、前記空間部に開口連通して突設固定され、且つ一方側の側面板の中央部に空気取出し筒体が、前記空間部に開口連通して突設固定され、更に、前記空間部内の他方側の側面板寄りに、前記各円筒形フィルターの他方端外周部分を保持固定する複数個の保持部を備えると共に、該各保持部間に通気スリットを設けたフィルター保持枠を立設固定して、前記フィルター保持枠と他方側の側面板間に清浄空気案内室を設ける一方、前記空間部内の一方側の側面板寄りに、前記各円筒形フィルターの一方端側の通気開口の外周部分を保持固定するフィルター保持区画壁を立設固定して、前記一方側の側面板とフィルター保持区画壁間に清浄空気案内室を設け、且つ前記各円筒形フィルターの各通気開口が前記空気流入室に臨むようにして前記フィルター保持区画壁に連結固定するという手段
を採用することにより、上記課題を解決した。
【発明の効果】
【００１０】
本発明空気清浄装置は、濾材を円筒状に成型して円筒形フィルターとしたものを、複数本間隔を有して平行に、空気取入れ筒体と空気取出し筒体をそれぞれ備えた薄型の立方体箱状の密閉容器内に、前記各円筒形フィルターの一方側開口端部をフィルター保持区画壁に、通気可能に保持固定すると共に、該各円筒形フィルターの他方側開口端部を密閉してフィルター保持枠に固定して収納することにより、前記空気取入れ筒体より流入した空気は、各円筒形フィルターの内側の通気通路から濾材を通過して濾過され、前記各円筒形フィルターの外側の密閉容器の空間部に清浄空気となって噴き出して空気取出し筒体から取出すこともできるし、あるいは、空気取入れ口より密閉容器の空間部に流入した空気は、各円筒形フィルターの外側から濾材を通過して濾過され、前記各円筒形フィルターの通気通路に清浄空気となって噴き出して空気取出し筒体から取出すこともできるので、使用目的・場所に応じて適宜使い分けることができ、更に薄型の立方体箱状の密閉容器に複数本の円筒形フィルターを装入固定するので、空気清浄装置の小型化と薄型化が可能である。
【発明を実施するための最良の形態】
【００１１】
空気清浄装置の設置場所が細長く、且つ空気供給が、ダクトまたはチューブであって、装置全体の小型化と薄型化を達成するという目的を、複数本の円筒形フィルターを空気取入れ筒体と空気取出し筒体をそれぞれ突設した密閉容器内に装入固定することにより実現した。
【実施例１】
【００１２】
本発明の実施例につき、図面に基づいて詳細に説明すると、図１は、本発明空気清浄装置の実施例１を示す縦断正面図、図２は同横断面図、図３は同左側面図である。そして、本発明空気清浄装置を構成する円筒形フィルターは、図６に示すように形成されている。
【００１３】
すなわち、本発明空気清浄装置を構成する円筒形フィルター１は、濾材２を円筒状に成型して、長手方向中央に断面円状の通気通路３を貫通して、一方端側に通気開口４を設けると共に、他方端側に閉鎖壁５を設けて前記通気通路３を閉鎖して形成されている。なお、前記円筒形フィルター１は、特に限定する必要はないが、好ましくは、本件特許出願人の特許出願に係る特願２００３−２３７６８により製造することが推奨される。
【００１４】
前記構成より成る円筒形フィルター１が複数本平行に所定間隔を有して密閉容器６内に装入固定される。
【００１５】
前記密閉容器６は、内部に空間部７を備えた縦長の立方体箱状に形成されると共に、一方側の側面板８の中央部に空気取入れ筒体９が前記空間部７に開口連通して突設固定され、且つ他方側の側面板１０の中央部に、空気取出し筒体１１が前記空間部７に連通して突設固定されている。
【００１６】
前記密閉容器６の空間部７内の一方側の側面板８寄りの上・下方板１２・１３および前・後方板１４・１５の内側面に、前記円筒形フィルター１の一方端側の通気開口４の外周部分を保持固定するフィルター保持区画壁１６を立設固定して、前記一方側の側面板８とフィルター保持区画壁１６間に小巾の空気流入室１７を形成する。
【００１７】
前記各円筒形フィルター１の一方端側の各通気開口４が、前記空気流入室１７に臨むようにして、該各円筒形フィルター１の一方端の外周部分が、前記フィルター保持区画壁１６に所定間隔を有して前記各円筒形フィルター１の数だけ穿設された円孔１８に嵌挿して保持固定されている。
【００１８】
また、前記密閉容器６の空間部７内の他方側の側面板１０寄りの上・下方板１２・１３および前・後方板１４・１５の内側面に、前記円筒形フィルター１の他方端外周部分を保持固定する複数個の保持部１９を備えると共に、該各保持部１９間に通気スリット２０を設けたフィルター保持枠２１を立設固定して、前記フィルター保持枠２１と他方側の側面板１０間に小巾の清浄空気案内室２２が形成されている。
【００１９】
前記構成より成る本発明空気清浄装置の作用について説明する。空気取入れ筒体９を介して図示していない圧送手段からの空気２３が密閉容器６内の空気流入室１７に圧送されると、該空気２３は容量の大きい空気流入室１７内において乱流し、然る後、各円筒形フィルター１の通気開口４から通気通路３内に流入する。
【００２０】
前記各通気通路３内に流入した空気２３は、他方端部が閉鎖壁５によって閉塞されていると共に、連続して該通気通路３内に圧送されているため、該各通気通路３内の空気は加圧されて、該加圧された空気２３は前記円筒形フィルター１の前記各通気通路３から濾材２を通過して濾過されて、該各円筒形フィルター１の外周の空間部７内に清浄空気２４となって噴き出す。
【００２１】
前記各円筒形フィルター１から空間部７内に噴き出した清浄空気２４は、該空間部７内において各円筒形フィルター１の外周面に接触して乱流し、フィルター保持枠２１の通気スリット２０から清浄空気案内室２２内に流入するが、該清浄空気案内室２２内の容量に比して、空気取出し筒体１１の径が小径であるため、前記清浄空気案内室２２内において清浄空気が乱流して整流され、その後小径の空気取出し筒体１１より流速を早めて噴き出す。
【実施例２】
【００２２】
図７は、本発明空気清浄装置の実施例２を示す縦断正面図、図８は同横断面図である。前記実施例１においては、空気取入れ筒体９から空気２３を圧送し、空気取出し筒体１１より清浄空気２４として取出す構成について説明したが、実施例２の場合は、空気の流れを前記実施例１の図２と全く逆にするものである。すなわち、図１に示す実施例１と、図７に示す実施例２とは、その構成は全く同一であるが、図１に示す実施例１の空気取入れ筒体９と空気取出し筒体１１、および空気流入室１７と清浄空気案内室２２とが、図７に示す実施例２おいては入れ替わって、それぞれ空気取入れ筒体３１と空気取出し筒体３２、および空気流入室３３と清浄空気案内室３４となっている。
【００２３】
そして、図７・図８に示す実施例２による空気清浄装置の作用について説明する。空気取入れ筒体３１を介して、図示していない圧送手段からの空気２３が密閉容器６内の空気流入室３３に圧送されると、該空気流入室３３から通気スリット２０を通って空間部７内に流入する。
【００２４】
前記空間部７内に流入した空気２３は、一方側が区画壁１６によって区画閉塞されていると共に、連続して該空間部７内に圧送されるため、前記空間部７内の空気２３は加圧されて、該加圧された空気２３が、前記各円筒形フィルター１の外周面から濾材２を通過して濾過されて、該各円筒形フィルター１の各通気通路３内に清浄空気２４となって噴き出す。
【００２５】
前記各通気通路３内に噴き出した清浄空気２４は、通気開口４から清浄空気案内室２２内に流入するが、該清浄空気案内室２２内の容量に比して、空気取出し筒体３２の径が小径であるため、前記清浄空気案内室２２内において清浄空気が乱流して整流され、その後小径の空気取出し筒体３２より流速を早めて噴き出す。
【図面の簡単な説明】
【００２６】
【図１】本発明空気清浄装置の実施例１を示す縦断正面図である。
【図２】同横断面図である。
【図３】同左側面図である。
【図４】同一部を切欠いて正面側左前方より見た斜視図である。
【図５】同一部を切欠いて背面側左前方より見た斜視図である。
【図６】本発明空気清浄装置を構成する円筒形フィルターの一部を切欠いて示す斜視図である。
【図７】本発明空気清浄装置の実施例２を示す縦断正面図である。
【図８】同横断面図である。
【符号の説明】
【００２７】
１：  円筒形フィルター
２：  濾材
３：  通気通路
４：  通気開口
５：  閉鎖壁
６：  密閉容器
７：  空間部
８：  側面板
９：  空気取入れ筒体
１０：  側面板
１１：  空気取出し筒体
１６：  フィルター保持区画壁
１７：  空気流入室
１９：  保持部
２０：  通気スリット
２１：  フィルター保持枠
２２：  清浄空気案内室
３１：  空気取入れ筒体
３２：  空気取出し筒体
３３：  空気流入室
３４：  清浄空気案内室
【図１】
2005066436.tif 000003
【図２】
2005066436.tif 000004
【図３】
2005066436.tif 000005
【図４】
2005066436.tif 000006
【図５】
2005066436.tif 000007
【図６】
2005066436.tif 000008
【図７】
2005066436.tif 000009
【図８】
2005066436.tif 000010